(57)【特許請求の範囲】
【請求項１】
水圧検知手段と流量検知手段と制御部を備えて自動運転を行う電気井戸ポンプであり、且つ、ビスにより駆動素子を放熱板に取り付け、該放熱板を制御部のケーシングに外付けし、制御部のケーシング内の電子回路にリード線を介して接続したコネクタを駆動素子の複数の端子にケーシング内において接続した電気井戸ポンプであって、前記駆動素子とコネクタ間に、内部にリブによって仕切られた独立した複数の挿通空間を持つと共に前記駆動素子及びコネクタとは別体で且つ電気絶縁性で筒状の保護カバーを設け、該保護カバーを駆動素子の外周に位置させ、前記駆動素子の各端子をそれぞれ保護カバーの独立した複数の挿通空間に通して保護カバーにより駆動素子の各端子を絶縁し、前記コネクタを保護カバーの内側において駆動素子の複数の端子に接続したことを特徴とする電気井戸ポンプ。
【発明の詳細な説明】
【０００１】
【発明の属する技術分野】
本発明は、水道蛇口の開閉によって自動運転できるように水圧検知手段と流量検知手段と制御部を備え、かつ、前記制御部によって通電制御されるトライアック等の駆動素子を備えた電気井戸ポンプに関する。
【０００２】
【従来の技術】
一般に電気井戸ポンプは、水道蛇口を開くと水圧を検知してポンプを運転し、流量を検知して停止させるようになっている。このような動作を行わせるため、図４に示す電気井戸ポンプの構成としている。
【０００３】
すなわち、ベース１上にモータ２とポンプ３を装置し、圧力センサ４、流量センサ５、焼損防止器６（図示せず）およびアキュムレータ７を付設し、モータ２の上には制御部取付板８を介して制御部９を設け、これら全体をカバー１０で覆って構成されている。
【０００４】
また、駆動系の電気回路は図５に示すように構成され、すなわち、電源１１よりモータ２の通電回路に、Ｔ１、Ｔ２、Ｇ端子を持つ駆動素子であるトライアック１２および焼損防止器６を設け、前記圧力センサ４および流量センサ５の信号によって制御部９がトライアック１２を導通制御するようになっている。
【０００５】
前記制御部９とトライアック１２の組立て構造は、図６に示すようになっている。すなわち、放熱板１３にビス１４でトライアック１２を取り付け、その放熱板１３をビス１５で制御部９のケーシングに取り付けることで、トライアック１２を制御部９に外付けしている。そしてケーシング内において、制御部９の電子回路はリード線とコネクタ１６を介してトライアック１２の端子に接続され、さらに、コネクタ１６の外周に電気絶縁性の保護チューブ１７を装着している。図中の６は焼損防止器、１８は進相コンデンサである。
【０００６】
ところで、一般的に電気井戸ポンプは屋外に設置される場合が多く、ポンプカバー１０の内部に昆虫などが侵入することがある。これらの昆虫などが駆動素子であるトライアック１２の導電部間、あるいはトライアック１２の導電部と製品の非充電金属部の間に侵入し、その間に介在することにより、制御系の異常、または漏電等の問題が発生することがある。
【０００７】
この問題を防ぐため、トライアック１２の端子接続部の外周、すなわちコネクタ１６の外周に電気絶縁性の保護チューブ１７を装着するが、さらに、図７に示すように放熱板１３とトライアック１２の間に絶縁シート１９を設け、かつ、トライアック１２と制御部取付板８との間に絶縁距離をとっていた。
【０００８】
【発明が解決しようとする課題】
このような従来の電気井戸ポンプにおける制御部９とトライアック１２の組立て構造では、その組み立てる場合に、まず放熱板１３の上に絶縁シート１９を重ね、その上にトライアック１２を載せるとともに、トライアック１２をビス１４で固定する。そして保護チューブ１７を被せたコネクタ１６をトライアック１２の端子部に差し込み、制御部９と放熱板１３をビス１５で固定するものであり、絶縁シート１９を必要とすることから作業工程が増え、サービス性が悪いものであった。
【０００９】
また、トライアック１２におけるＴ２端子以外のＴ１、Ｇ端子は絶縁していないので、トライアック１２のＴ１、Ｇ端子と導電性である制御部取付板８の間で昆虫が介在したとき漏電が発生することになり、この対策として十分な絶縁距離の確保が必要で、製品の性格上、スペース的な問題がある。そして、昆虫の種類や大きさによっては、どの程度の絶縁距離が必要なのか予測できない。
【００１０】
また、トライアック１２を取り付けるビス１４は、放熱板１３と制御部取付板８を通して大地アースに導通しており、したがって前記と同様の問題が発生する。
【００１１】
そしてトライアック１２の取付孔は部品によって既に決定しているもので、絶縁距離をそれ以上広げることは不可能であり、これを対策するためには、トライアック取付用のビス１４を完全に絶縁物で覆わなければならないという問題がある。
【００１２】
本発明は上記課題を解決するもので、制御部を接続するトライアックの端子部を簡単に絶縁することができ、そしてその制御部へのトライアックの組立て作業性、サービス性のよい電気井戸ポンプを提供することを目的とする。
【００１３】
【課題を解決するための手段】
本発明は上記目的を達成するために、電気井戸ポンプにおける制御部の電子回路と駆動素子の複数の端子をコネクタで接続する構成であって、前記駆動素子とコネクタ間に独立した複数の挿通空間を持つ電気絶縁性の保護カバーを設け、前記駆動素子の各端子をそれぞれ前記保護カバーの独立した複数の挿通空間に通した構成とする。
【００１４】
本発明によれば、電気井戸ポンプにおける制御部を接続するトライアックの端子部を簡単に絶縁することができ、その制御部へのトライアックの組立て作業性、サービス性をよくすることができる。
【００１５】
【発明の実施の形態】
本発明の請求項１に記載の発明は、水圧検知手段と流量検知手段と制御部を備えて自動運転を行う電気井戸ポンプであり、且つ、ビスにより駆動素子を放熱板に取り付け、該放熱板を制御部のケーシングに外付けし、制御部のケーシング内の電子回路にリード線を介して接続したコネクタを駆動素子の複数の端子にケーシング内において接続した電気井戸ポンプであって、前記駆動素子とコネクタ間に、内部にリブによって仕切られた独立した複数の挿通空間を持つと共に前記駆動素子及びコネクタとは別体で且つ電気絶縁性で筒状の保護カバーを設け、該保護カバーを駆動素子の外周に位置させ、前記駆動素子の各端子をそれぞれ保護カバーの独立した複数の挿通空間に通して保護カバーにより駆動素子の各端子を絶縁し、前記コネクタを保護カバーの内側において駆動素子の複数の端子に接続したものであり、電気井戸ポンプにおける制御部を接続するトライアックの端子部を簡単に絶縁することができ、しかも制御部へのトライアックの組立て作業性をよくし、サービス性もよくするという作用を有する。
【００１６】
以下、本発明の実施の形態を図面を参照して説明する。
（実施の形態１）
図１は本発明の実施の形態１の電気井戸ポンプにおける制御部とトライアックの組立て構成を示す平面図、図２（ａ）は同電気井戸ポンプにおける制御部とトライアックの端子との接続部の構成を示す平面図、図２（ｂ）は同電気井戸ポンプにおける制御部とトライアックの端子との接続部の構成を示す断側面図、図３は前記接続部に使用される保護カバーの構成を示す平面図である。なお、前記従来例と同一構成部品には同一符号を付与し、その説明は省略する。
【００１７】
本実施の形態１の電気井戸ポンプは、制御部とトライアックの組立て構成に特徴を有し、さらに詳しくは、制御部とトライアックの端子との接続部に特異の構成をもつ保護カバーを使用したことに特徴を有する。
【００１８】
図１に示すように、制御部９には駆動素子であるトライアック１２が外付けされ、トライアック１２の端子には制御部９の電子回路に接続するためのコネクタ１６を差し込んであり、そしてこの接続部に保護カバー２０を付設している。
【００１９】
前記保護カバー２０は絶縁性材料よりなり、図３に示すように筒状で、内部に３個のリブ２１によって仕切られて独立した複数の挿通空間Ａ、Ｂ、Ｃ、Ｄを有している。そして、前記３個のリブ２１はトライアック１２のＴ２端子とＴ１端子、Ｇ端子を仕切る関係をもたせている。
【００２０】
前記保護カバー２０の組み込みは、図２に示すように行われ、すなわち、トライアック１２の外周に位置させ、挿通空間Ｂにトライアック１２のＴ２端子を通し、その上からコネクタ１６をトライアック１２の端子に接続する。このとき、保護カバー２０は、トライアック１２とコネクタ１６が接続したときにできる距離の中に、わずかな隙間を残した状態で取付けられる。この構成により、トライアック１２のＴ１端子、Ｇ端子とＴ２端子はそれぞれ絶縁された空間を持つことができる。
【００２１】
上記構成により、昆虫等が侵入しても、トライアック１２の端子とトライアック取り付け用のビス１４、制御部取付板８などとの漏電の防止ができ、また、トライアック１２の端子間の絶縁が確実なものとなる。
【００２２】
また、１点の部品で前記漏電防止と絶縁対策が可能であり、組立て工数の削減やサービス性の向上が図れる。
【００２３】
【発明の効果】
以上の説明より明らかなように、本発明は制御部と駆動素子であるトライアックの接続部、すなわちトライアックとコネクタの間に独立した複数の挿通空間を持つ保護カバーを用いることにより、トライアック端子部を簡単に絶縁することができ、組立て作業性もよく、また、サービス性もよい電気井戸ポンプにおける制御部と駆動素子の接続部構成とすることができる。
【図面の簡単な説明】
【図１】本発明の実施の形態１の電気井戸ポンプにおける制御部とトライアックの組立て構成を示す平面図
【図２】（ａ）は同電気井戸ポンプにおける制御部とトライアックの端子との接続部の構成を示す平面図
（ｂ）は同電気井戸ポンプにおける制御部とトライアックの端子との接続部の構成を示す断側面図
【図３】同電気井戸ポンプにおける制御部とトライアックの端子との接続部に使用される保護カバーの構成を示す平面図
【図４】従来の電気井戸ポンプの構成を示す斜視図
【図５】同電気井戸ポンプの駆動系の電気回路図
【図６】同電気井戸ポンプにおける制御部とトライアックの組立て構成を示す平面図
【図７】（ａ）は同電気井戸ポンプにおける制御部とトライアックの端子との接続部の構成を示す平面図
（ｂ）は同電気井戸ポンプにおける制御部とトライアックの端子との接続部の構成を示す断側面図
【符号の説明】
２  モータ
３  ポンプ
４  圧力センサ
５  流量センサ
６  焼損防止器
９  制御部
１２  トライアック
１３  放熱板
１４  ビス
１５  ビス
１６  コネクタ
１８  進相コンデンサ
２０  保護カバー
２１  リブ
【図１】
0004114219.tif 000002
【図２】
0004114219.tif 000003
【図３】
0004114219.tif 000004
【図４】
0004114219.tif 000005
【図５】
0004114219.tif 000006
【図６】
0004114219.tif 000007
【図７】
0004114219.tif 000008